(57)【要約】【課題】電子機器における静電気による電子回路の誤動作や破壊を防止するための絶縁構造及びこの構造を適用した電子機器を提供する。【解決手段】リア筐体１及びフロント筐体２で挟み込まれ、固定ボルト６によって両筐体とともに共締めされるアンテナ基板３と、両筐体内に収容されたメイン基板４とを有する電子機器の絶縁構造であって、フロント筐体２は、固定ボルト６のネジボスの周囲に筒状のリブ９を有し、アンテナ基板３は、所定の位置に形成された開口部にリブ９が貫通した状態で固定され、アンテナ基板３及びメイン基板４は、いずれも固定ボルト６のネジ頭とは反対側に接続端子７、８を備えた実装面が位置し、アンテナ基板１とともに共締め固定されたアンテナ金具５が両基板のそれぞれの接続端子７、８と当接することによって、両基板が電気的に接続される。【選択図】図１
2008130758.tif 000002
【特許請求の範囲】
【請求項１】
第１及び第２の筐体で挟み込まれ、固定ボルトによって前記第１及び第２の筐体とともに共締めされる第１の基板と、前記第１及び第２の筐体内に収容された第２の基板とを有する電子機器の絶縁構造であって、
前記第１の筐体及び前記第２の筐体の少なくとも一方は、前記固定ボルトのネジボスの周囲に筒状のリブを有し、
前記第１の基板は、所定の位置に形成された開口部に前記リブが貫通した状態で固定され、
前記第１及び第２の基板は、いずれも前記固定ボルトのネジ頭とは反対側に接続端子を備えた実装面が位置し、
前記第１の基板とともに共締め固定された接続金具が前記第１及び第２の基板のそれぞれの接続端子と当接することによって、前記第１の基板と前記第２の基板とが電気的に接続されたことを特徴とする電子機器の絶縁構造。
【請求項２】
前記第１の筐体と前記第２の筐体との両方に前記リブを備えることを特徴とする請求項１記載の電子機器の絶縁構造。
【請求項３】
前記第１及び第２の筐体は、一方のリブの内側に他方のリブが配置された状態で前記固定ボルトによってネジ止めされることを特徴とする請求項２記載の電子機器の絶縁構造。
【請求項４】
前記接続金具は、側面視略Ｚ字形状の平棒状であり、弾性によって端部が前記第２の基板の接触端子と当接することを特徴とする請求項１から３のいずれか１項記載の電子機器の絶縁構造。
【請求項５】
請求項１から４のいずれか１項記載の電子機器の絶縁構造を適用した電子機器。
【請求項６】
移動体通信機能を備えた移動体通信端末であることを特徴とする請求項５記載の電子機器。
【発明の詳細な説明】
【技術分野】
【０００１】
本発明は、電子機器における静電気による電子回路の誤動作や破壊を防止するための絶縁構造に関する。
【背景技術】
【０００２】
近年の携帯型電子機器、特に携帯通信端末は、高機能化や低消費電力化が進んでおり、多機能化・低電圧化されたＬＳＩが実装される傾向にある。
【０００３】
このため、僅かなノイズによってもシステムが誤動作する恐れがある。空気が乾燥し静電気が発生しやすい冬季において、静電気による誤動作、破壊を防止することは重要な課題となっている。
【０００４】
図４に、従来の携帯通信端末の筐体連結部分における絶縁構造を示す。アンテナ基板３とアンテナ金具５とがリア筐体１及びフロント筐体２で挟まれ、固定ボルト６で固定された構造である。このため、アンテナ基板３、アンテナ金具５と固定ボルト６との距離が近い（又は接触する）構造となっている。
【０００５】
外部から接触されやすい箇所（メイン基板４に実装されているＭＩＣ、イヤホンジャック、外部接続用インタフェースコネクタ、外部記憶用カードコネクタ等（いずれも不図示））に帯電した衣服や手が触れるなどして静電気が侵入した場合、侵入した静電気はメイン基板４の基準ＧＮＤから、メイン基板４に接触しているアンテナ金具５、アンテナ基板３を経由して固定ボルト６まで伝わる。リア筐体１や固定ボルト６が鉄板などの導体と接触したり、人体と接触したりすると、静電気はその物体又は人体の方へ抜けてしまう。この際に、携帯通信端末等の電子機器の基準ＧＮＤの電圧が変動してしまい、誤動作を起こしたり電気部品が破壊されてしまうことがあった。
【０００６】
アンテナ基板の絶縁構造に関する従来技術として、特許文献１に開示される「電子機器」がある。特許文献１に開示される発明は、筐体の取り付けネジのネジ止め部分の周囲にボスと突状側壁とを設けることにより、取り付けネジと基板との間の縁面距離を確保するものである。
【特許文献１】実開昭６１−１２０２００号公報
【発明の開示】
【発明が解決しようとする課題】
【０００７】
しかし、特許文献１に開示される発明では、基板の筐体同士の隙間に近い側の面に電子部品や配線が実装されている。よって、小型化が進んだ近年の電子機器においては、特許文献１に開示される発明を適用したとしても、取り付けネジと基板との間の縁面距離を十分に確保できず、基板−取り付けネジ間で静電放電が起こってしまう可能性があった。この際には、従来と同様に電子機器の基準ＧＮＤの電圧が変動してしまい、誤動作したり電気部品が破壊されてしまうことがあった。
【０００８】
本発明はかかる問題に鑑みてなされたものであり、電子機器における静電気による電子回路の誤動作や破壊を防止するための絶縁構造及びこの構造を適用した電子機器を提供することを目的とする。
【課題を解決するための手段】
【０００９】
上記目的を達成するため、本発明は、第１の態様として、第１及び第２の筐体で挟み込まれ、固定ボルトによって第１及び第２の筐体とともに共締めされる第１の基板と、第１及び第２の筐体内に収容された第２の基板とを有する電子機器の絶縁構造であって、第１の筐体及び第２の筐体の少なくとも一方は、固定ボルトのネジボスの周囲に筒状のリブを有し、第１の基板は、所定の位置に形成された開口部にリブが貫通した状態で固定され、第１及び第２の基板は、いずれも固定ボルトのネジ頭とは反対側に接続端子を備えた実装面が位置し、第１の基板とともに共締め固定された接続金具が第１及び第２の基板のそれぞれの接続端子と当接することによって、第１の基板と第２の基板とが電気的に接続されたことを特徴とする電子機器の絶縁構造を提供するものである。
【００１０】
本発明の第１の態様においては、第１の筐体と第２の筐体との両方にリブを備えることが好ましく、これに加えて、第１及び第２の筐体は、一方のリブの内側に他方のリブが配置された状態で固定ボルトによってネジ止めされることがより好ましい。
【００１１】
本発明の第１の態様の上記のいずれの構成においても、接続金具は、側面視略Ｚ字形状の平棒状であり、弾性によって端部が第２の基板の接触端子と当接することが好ましい。
【００１２】
また、上記目的を達成するため、本発明は、第２の態様として、上記本発明の第１の態様のいずれかの構成にかかる電子機器の絶縁構造を適用した電子機器を提供するものである。
【００１３】
本発明の第２の態様においては、移動体通信機能を備えた移動体通信端末であることが好ましい。
【発明の効果】
【００１４】
本発明によれば、電子機器における静電気による電子回路の誤動作や破壊を防止するための絶縁構造及びこの構造を適用した電子機器を提供できる。
【発明を実施するための最良の形態】
【００１５】
〔第１の実施形態〕
本発明を好適に実施した第１の実施形態について説明する。図１に、本実施形態にかかる携帯通信端末の筐体連結部分の構成を示す。この携帯通信端末は、リア筐体１及びフロント筐体２によって形成される空間内にアンテナ基板３とメイン基板４とを収容する構成である。
【００１６】
アンテナ基板３はリア筐体１に固定されており、メイン基板４はフロント筐体２に固定されている。アンテナ基板３は、固定ボルト６のネジ頭と反対側に（換言すると、フロント筐体２側に）アンテナ端子７が設けられている。また、メイン基板４は、固定ボルト６のネジ頭とは反対側に（換言すると、フロント筐体２側に）アンテナ端子８が設けられている。
【００１７】
アンテナ基板３とアンテナ金具５との固定及びメイン基板４との接続方法として、アンテナ基板３とアンテナ金具５とをリア筐体１及びフロント筐体２で挟んだ上で、固定ボルト６によって共締め固定する手法が用いられた構造である。すなわち、フロント筐体２の挟持部分にはリブ９が設けられており、リブ９の外側でアンテナ基板３とアンテナ金具５とが挟まれて固定される。
アンテナ基板３とメイン基板４上のアンテナ端子８とは、アンテナ金具５を介して接続されるが、アンテナ基板３上のアンテナ端子７とアンテナ金具５とは固定ボルト６によって共締め固定されることによって接続され、アンテナ金具５とメイン基板４上のアンテナ端子８とは接触することにより接続される。
【００１８】
メイン基板４に実装されているＭＩＣ、イヤホンジャック、外部接続用インタフェースコネクタ、外部記憶用カードコネクタ等（いずれも不図示）の外部から接触されやすい箇所に帯電した衣服や人体が触れるなどして静電気が侵入すると、メイン基板４の基準ＧＮＤからアンテナ金具５やアンテナ基板３上のアンテナ端子７にまで静電気が伝わる。ここで、アンテナ基板３とアンテナ金具５とを挟む部分のフロント筐体２にはリブ９が設けられており、リブ９の外側でアンテナ基板３とアンテナ金具５とが挟まれて固定されているため、アンテナ基板３やアンテナ金具５と固定ボルト６との距離が従来構造よりも離れている。よって、静電気は固定ボルト６には伝わりにくい。
【００１９】
一般に静電気は基板上の電気回路を通り抜けることによって回路の誤動作や破壊を招くと言われている。本実施形態においては、リア筐体１及び固定ボルト６が鉄板などの導体や人体と接触した場合でも、導体や人体の方へ静電気が流れてしまうことが無くなるため、基準ＧＮＤの電圧が変動してしまうリスクが軽減され、誤動作や破壊が生じにくくなる。
【００２０】
なお、ここではフロント筐体２にリブ９が設けられている構成を例としたが、リア筐体１にリブが設けられていても同様の効果が得られることは言うまでもない。
【００２１】
このように、アンテナ基板とアンテナ金具とを表裏の筐体で挟んで共締めする構造において、挟む部分の筐体にリブを設け、その外側でアンテナ基板とアンテナ端子とを挟んで固定することで、アンテナ基板やアンテナ金具と固定ボルトとの間には、静電気が流れなくするのに十分な距離だけ確保できる。よって、静電気による電気回路の誤動作や破壊を防止できる。
【００２２】
〔第２の実施形態〕
本発明を好適に実施した第２の実施形態について説明する。図２に、本実施形態にかかる携帯通信端末の構成を示す。第１の実施形態と同様に、この携帯通信端末は、リア筐体１及びフロント筐体２によって形成される空間内にアンテナ基板３とメイン基板４とを収容する構成である。ただし、本実施形態では、リア筐体１及びフロント筐体２の両方にリブが設けられている。
フロント筐体２の挟持部分には、組み立て時に固定ボルト６を取り囲むようにリブ９２が設けられている。また、リア筐体１の挟持部分には組み立て時にリブ９２を取り囲むようにリブ９１が設けられている。
アンテナ基板３とアンテナ金具５とは、リブ９１の外側で挟まれて固定されているため、アンテナ基板３やアンテナ金具５と固定ボルト６との間には、静電気が流れなくするのに十分な距離が確保されている。
【００２３】
本実施形態にかかる絶縁構造を採用した携帯通信端末も、第１の実施形態と同様に静電気による電気回路の誤動作や破壊を防止できる。
しかも、アンテナ端子７やアンテナ金具５と固定ボルト６との距離を第１の実施形態よりも大きく取れるため、静電気による電気回路の誤動作や破壊を防止する効果がより大きく得られる。
【００２４】
〔第３の実施形態〕
本発明を好適に実施した第３の実施形態について説明する。図３に、本実施形態にかかる携帯通信端末の構成を示す。第１、第２の実施形態と同様に、この携帯通信端末は、リア筐体１及びフロント筐体２によって形成される空間内にアンテナ基板３とメイン基板４とを収容する構成である。本実施形態では第２の実施形態と同様にリア筐体１及びフロント筐体２の両方にリブが設けられている。
リア筐体１の挟持部分には、組み立て時に固定ボルト６を取り囲むようにリブ９１が設けられている。また、フロント筐体２の挟持部分には組み立て時にリブ９１を取り囲むようにリブ９２が設けられている。
アンテナ基板３とアンテナ金具５とは、リブ９２の外側で挟まれて固定されているため、アンテナ基板３やアンテナ金具５と固定ボルト６との間には、静電気が流れなくするのに十分な距離が確保されている。
【００２５】
本実施形態にかかる絶縁構造を採用した携帯通信端末も、第１の実施形態と同様に静電気による電気回路の誤動作や破壊を防止できる。
しかも、アンテナ端子７やアンテナ金具５と固定ボルト６との距離を第２の実施形態よりもさらに大きく取れるため、静電気による電気回路の誤動作や破壊を防止する効果がより一層大きく得られる。
【００２６】
なお、上記実施形態は本発明の好適な実施の一例であり、本発明はこれに限定されることはない。
例えば、上記各実施形態においては、表裏の筐体でアンテナ基板とアンテナ金具とを挟む構造を例に説明したが、図５に示すように、メイン基板４のみが筐体内に収容される構造であっても同様の効果が得られる。この場合には、フロント筐体２にリブ９を設けて、その外側でメイン基板４を挟み込み、固定ボルト６で固定すれば良い。
このように、本発明は様々な変形が可能である。
【図面の簡単な説明】
【００２７】
【図１】本発明を好適に実施した第１の実施形態に係る携帯通信端末の筐体の接続部における絶縁構造を示す図である。
【図２】本発明を好適に実施した第２の実施形態に係る携帯通信端末の端末の筐体接続部分における絶縁構造を示す図である。
【図３】本発明を好適に実施しした第３の実施形態に係る携帯通信端末の筐体接続部分における絶縁構造を示す図である。
【図４】従来の携帯通信端末の筐体接続部分における絶縁構造を示す図である。
【符号の説明】
【００２８】
１    リア筐体
２    フロント筐体
３    アンテナ基板
４    メイン基板
５    アンテナ金具
６    固定ボルト
７、８    アンテナ端子
９、９１、９２    リブ
【図１】
2008130758.tif 000003
【図２】
2008130758.tif 000004
【図３】
2008130758.tif 000005
【図４】
2008130758.tif 000006